(57)【要約】【課題】コンパクトかつ原水変動時にも一定水質の処理水を得ることができる凝集沈澱装置を提供すること。【解決手段】凝集剤を含む原水の凝集沈澱装置において、フロックを形成させる凝集部と、前記フロックを沈澱させて放流可能な処理水を形成する沈澱部と、前記凝集部と前記沈澱部とを区画する仕切板と、該仕切板底部に通連口を有した凝集沈澱装置であって、前記沈澱部に浮上したフロックを前記凝集部に回収、再凝集するための浮上フロック回収ポンプを設けたことを特徴とする凝集沈澱装置。【選択図】図２
2004344826.tif 000002
【特許請求の範囲】
【請求項１】
凝集剤を含む原水の凝集沈澱装置において、フロックを形成させる凝集部と、前記フロックを沈澱させて放流可能な処理水を形成する沈澱部と、前記凝集部と前記沈澱部とを区画すると、該仕切板底部に通連口を有した凝集沈澱装置であって、前記沈澱部に浮上したフロックを前記凝集部に回収、再凝集するための浮上フロック回収ポンプを設けたことを特徴とする凝集沈澱装置。
【請求項２】
前記沈澱部に浮上フロック回収ポンプを２つ以上備え、浮上フロックを前記浮上フロック回収ポンプ付近に移動させるエアー吹きつけ管を処理液排出ライン近傍に設けたことを特徴とする請求項１に記載の凝集沈澱装置。
【請求項３】
前記沈澱部に沈澱したフロックを回収する掻き寄せ機と、掻き寄せたフロックを前記沈澱部から抜き出すためのフロック引き抜きラインを備えることを特徴とする請求項１または２に記載の凝集沈澱装置。
【発明の詳細な説明】
【０００１】
【発明の属する技術分野】
本発明は、主に工場排水を原水として、この原水に凝集剤を添加して液中の懸濁物質を沈澱させて分離する凝集沈澱装置に関するものである。
【０００２】
【従来の技術】
原水中の懸濁物質を沈澱により分離除去する装置が知られている。従来の原水中の懸濁物質を除去するための凝集沈澱装置として、原水に単に凝集剤を添加してフロックを沈澱させ、フロックを汚泥として引き抜くとともに、上部から処理水を導出するようにした装置はよく知られている。
【０００３】
このような一般的な凝集沈澱装置では、フロックの沈澱に長時間を要し、沈澱槽としても極めて大型のものが要求されることから、より効率良く凝集沈澱を行わせ凝集槽と沈澱槽を一体化したコンパクトな凝集沈澱装置が提案されている。
【０００４】
たとえば、フロックを含んだ液が高速で整流壁に形成された連通孔を通過し衝突板に衝突させ、その結果、この衝突板の作用によってフロックを含んだ液の流れの運動量が減衰して、流速が充分に遅くなり、沈澱部において、フロックを効率的に沈澱させることができることなどから、装置全体をコンパクト化させている（たとえば、特許文献１参照）。
【０００５】
【特許文献１】
特許第３３５８５３５号公報
【０００６】
【発明が解決しようとする課題】
ところが、上記のような凝集沈澱装置において、原水の組成が大幅に変動した場合、たとえば原水中にオイル分を含んだ場合は、凝集により形成したフロックに前記オイル分が付着し、フロックの沈降性が悪化するのみならず、前記フロックが全く沈降せず、液面上に浮上し処理水とともに流出されることがある。
【０００７】
そこで本発明の課題は、上記のような問題点に着目し、沈澱部に浮上したフロックを効率良く回収、再凝集することで処理水へのフロックの流出を抑制することができるコンパクトな凝集沈澱装置を提供することを目的とするものである。
【０００８】
【課題を解決するための手段】
すなわち、本発明は、前記課題を解決するためになされたものであって、
（１）凝集剤を含む原水の凝集沈澱装置において、フロックを形成させる凝集部と、前記フロックを沈澱させて放流可能な処理水を形成する沈澱部と、前記凝集部と前記沈澱部とを区画する仕切板と、該仕切板底部に通連口を有した凝集沈澱装置であって、前記沈澱部に浮上したフロックを前記凝集部に回収、再凝集するための浮上フロック回収ポンプを設けたことを特徴とする凝集沈澱装置。
【０００９】
（２）前記沈澱部に浮上フロック回収ポンプを２つ以上備え、浮上フロックを前記浮上フロック回収ポンプ付近に移動させるエアー吹きつけ管を処理液排出ライン近傍に設けたことを特徴とする前記（１）に記載の凝集沈澱装置。
【００１０】
（３）前記沈澱部に沈澱したフロックを回収する掻き寄せ機と、掻き寄せたフロックを前記沈澱部から抜き出すためのフロック引き抜きラインを備えることを特徴とする前記（１）または（２）に記載の凝集沈澱装置。
【００１１】
【発明の実施の形態】
（第１実施形態）
図１は、本発明に係る凝集沈澱装置の一実施例を示す横断面図であり、図２は、図１のＩ−Ｉ矢視縦断面図であり、図３は、図１のＩＩ−ＩＩ矢視縦断面図である。
【００１２】
本凝集沈澱装置は、凝集部１と、それに隣接配置された沈澱部２を備えている。
既に凝集剤が添加された原水４は、原水供給ライン３で凝集部１へ供給される。一方、凝集部１上部にはフロックを形成させるための攪拌機５が設けられている。
【００１３】
攪拌機５により成長したフロックを含む被処理水は、沈澱部２との仕切板６底部の連通口７を介して沈澱部２へと導入される。沈澱部２では、導入水中のフロックが下方に沈澱され、沈殿物８は上方の処理水９に対して分離される。処理水９は、処理水排出ライン１０を介して排出される。
【００１４】
沈澱部２の底部に沈澱したスラリー状の沈殿物８は、沈澱物８の掻き寄せ羽根が取り付けられ、図の例では図３において反時計方向に回転される掻き寄せ機１１により一定の箇所に沈澱物８が掻き寄せられ底部沈殿物引き抜きライン１２を介して抜き出される。
【００１５】
この第１実施形態の凝集沈澱装置では、原水の組成が大幅に変動した場合、たとえば原水中にオイル分を含んだ場合は、凝集部１で形成されたフロックは前記オイル分が付着し沈降性が悪化するのみならず、前記フロックが全く沈降せず、沈澱部２の液面上に浮上し、処理水９として排出され、放流可能な処理水が得られなくため、これら浮上フロックの排出を抑制すべく沈澱部２に設けた浮上フロック回収ポンプ１３で回収し、浮上フロック返送ライン１４を介して、凝集部１に返送させるようになっている。
【００１６】
ここで、浮上フロック回収ポンプ１３の設置位置は、沈澱部２の上部であればよい。
【００１７】
（第２実施形態）
次に、第２実施形態を説明する。なお、本実施形態の説明では、第１実施形態と相違する部分を説明し、同一の部分には共通の図中符号を付すことにより、重複する説明を適宜省略する。
【００１８】
図４は、本発明に係る凝集沈澱装置の他の実施例を示す横断面図であり、図５は、図４のＩ−Ｉ矢視縦断面図であり、図６は、図４のＩＩ−ＩＩ矢視縦断面図である。
【００１９】
本実施形態が、第１実施形態と相違するのは、浮上フロックを浮上フロック回収ポンプ１３方向に向かうようにエアーを吹き付けるエアー吹きつけ管１５を設け、さらに同管１５にエアーを供給するエアー供給ライン１６と、浮上フロック回収ポンプ１３を２つ以上設置したことである。
【００２０】
本実施形態では、エアー吹きつけ管１５は、浮上フロックの処理水９として排出されることを抑制するとともに、さらに浮上フロックを浮上フロック回収ポンプ１３で効率良く回収するため、処理水排出ライン１０の近傍に設けることが好ましく、処理水排出ライン１０の上部付近に設けることがさらに好ましい。
【００２１】
【実施例】
表１に示す装置諸元の凝集部と沈澱部が一体化した凝集沈澱装置による実施結果を、従来の凝集部と沈澱部が一体化した凝集沈澱装置（特許文献１記載の装置）と本発明装置の場合を比較して以下に示す。なお、原水に添加する凝集剤には、カチオン系、アニオン系、ノニオン系があるが、本実施例ではアニオン系凝集剤を使用している。
【００２２】
まず、従来の装置により、濁度３０ｍｇ／Ｌの排水を処理した結果、凝集部の攪拌機によりフロックが形成され、同フロックは沈澱部で沈澱堆積し、濁度３ｍｇ／Ｌまで低減した処理水を得たが、その後工場操業の変化に伴い、オイル分を含んだ濁度８０ｍｇ／Ｌ程度の排水が流入するようになり、５時間が経過した時点から沈澱部に堆積した塊が浮上し始め、処理液として一緒に排出され濁度は６０ｍｇ／Ｌ程度まで上昇し、本装置での処理機能が失われた。
【００２３】
そこで、図４に示す本発明装置により、まず濁度３０ｍｇ／Ｌの排水を処理した結果、従来と同様に濁度３ｍｇ／Ｌまで低減した処理水を得た。その後工場操業の変化に伴い、オイル分を含んだ濁度８０ｍｇ／Ｌ程度の排水が流入するようになり、従来装置と同様に５時間が経過した時点から沈澱部に堆積した塊が浮上し始めた。
【００２４】
浮上した塊は、処理水排出ライン１０の上部に設置したエアー吹きつけ管１５からのエアーにより沈澱部の仕切板６側に設置した浮上フロック回収ポンプ１３付近に移動し、同ポンプ経由浮上フロック返送ライン１４で凝集部１に回収し処理水液へ同塊の排出が抑制したことで、従来の濁度６０ｍｇ／Ｌから濁度５ｍｇ／Ｌにまで低減した処理水を排出することができた。
【００２５】
なお、本実施例では、エアー吹きつけ管１５からのエアー吹きつけ風速は１５ｍ／ｓ、エアー吹きつけの穴角度は、沈澱部液面に対し３０℃とするのが最適であった。すなわち、沈澱部から浮上した塊を前記浮上フロック回収ポンプ１３付近に形状を変えることなく移動させることができた。
【００２６】
【表１】
2004344826.tif 000003
【００２７】
【発明の効果】
以上説明したように、本発明の凝集沈澱装置によれば、凝集部と沈澱部とを一体化に設けるのでコンパクトな装置を提供するできるとともに、原水変動時に浮上するフロックを効率良く回収する機能を設けることで同フロックの処理水への流出を抑制した凝集沈澱装置を提供することができる。
【図面の簡単な説明】
【図１】本発明に係る凝集沈澱装置の一実施例を示す横断面図である。
【図２】図１のＩ−Ｉ矢視断面図である。
【図３】図１のＩＩ−ＩＩ矢視断面図である。
【図４】本発明に係る凝集沈澱装置の他の一実施例を示す横断面図である。
【図５】図４のＩ−Ｉ矢視断面図である。
【図６】図４のＩＩ−ＩＩ矢視縦断面図である。
【符号の説明】
１・・・凝集部
２・・・沈澱部
３・・・原水供給ライン
４・・・原水
５・・・攪拌機
６・・・仕切板
７・・・通連口
８・・・沈澱物
９・・・処理水
１０・・・処理水排出ライン
１１・・・掻き寄せ機
１２・・・底部沈殿物引き抜きライン
１３・・・浮上フロック回収ポンプ
１４・・・浮上フロック返送ライン
１５・・・エアー吹きつけ管
１６・・・エアー供給ライン
【図１】
2004344826.tif 000004
【図２】
2004344826.tif 000005
【図３】
2004344826.tif 000006
【図４】
2004344826.tif 000007
【図５】
2004344826.tif 000008
【図６】
2004344826.tif 000009